Podtech/llm-jp-corpus-v4-ja_patent huggingface dataset:
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
抽出物がバウヒニア属の各種から得られることを特徴とする、低血糖活性を有する植物抽出物。
【請求項２】
Ｎ０-ＳＴＺラットモデルによる経口グルコース耐性テストにおける「血漿中グルコース濃度対時間」曲線の下部面積が著しく減少することを特徴とする、請求項１記載の抽出物。
【請求項３】
血漿中グルコース濃度対時間の曲線の下部面積が、コントロールに対して10％以上減少することを特徴とする、請求項２記載の抽出物。
【請求項４】
血漿中グルコース濃度対時間の曲線の下部面積が、コントロールに対して15％以上減少することを特徴とする、請求項３記載の抽出物。
【請求項５】
血漿中グルコース濃度対時間の曲線の下部面積が、コントロールに対して20％以上減少することを特徴とする、請求項４記載の抽出物。
【請求項６】
血漿中グルコース濃度対時間の曲線の下部面積が、コントロールに対して35％以上減少することを特徴とする、請求項５記載の抽出物。
【請求項７】
抽出物をＮ０-ＳＴＺラットモデルにしたがうラットに使用したとき、当初の基礎血糖に対する絶食時血漿中グルコース濃度が著しく減少することを特徴とする、請求項１ないし６のいずれか１項に記載の抽出物。
【請求項８】
バウヒニア属の各種が、バウヒニア・カンディカン、バウヒニア・チャンピオニイ、バウヒニア・フォルティフィカタ(バウヒニア・フォルフィカタ)、バウヒニア・マンカ、バウヒニア・パープレア、バウヒニア・ラセモサ、バウヒニア・レチクラタ、バウヒニア・トメントーサ、バウヒニア・バリエガタ、バウヒニア・チエィランタ、バウヒニア・グアネンシス、バウヒニア・レフューサ、バウヒニア・グラウカ、バウヒニア・パウレチア、バウヒニア・ウングラトー、バウヒニア・マクロスタチア及びバウヒニア・スプレンデンから選ばれる、請求項１ないし７のいずれか１項に記載の抽出物。
【請求項９】
前記バウヒニア属の種がバウヒニア・フォルティフィカタ(バウヒニア・フォルフィカタ)である、請求項８に記載の抽出物。
【請求項１０】
抽出に使用される部分が葉である、請求項８または９に記載の抽出物。
【請求項１１】
前記葉が若い葉である、請求項10に記載の抽出物。
【請求項１２】
１つ以上の活性物が、アピゲニン、アピゲニン-７-Ｏ-グルコシド、イソケルセチン(イソケルシトリン)、ケンプフェロール-３-ルチノシド、ケンプフェロール-３-ガラクトシド、ケンプフェロール-３-ラムノ-グリコシド、ケンプフェロール-３-グルコシド(アストラガリン)、ナリンゲニン-４’-ラムノグルコシド、ナリンギン、ケルセチン、ケルセチン-３,７-Ｏ-α-ジラムノシド、ケルシトリン、５,７-ジメチル-エーテル-４’-ラムノグリコシド、ルチン、５,７-ジヒドロキシフラバノン-４’-Ｏ-Ｌ-ラムノピラノシル-β-Ｄ-グルコピラノシド(ナリンゲニンアグリコン)などのフラボン又はフラボノイドであると考えられる、２つ以上の活性物を含む低血糖活性を有する、請求項１ないし11のいずれか１項に記載の抽出物。
【請求項１３】
少なくとも１つの活性物がケルセチン、イソケルセチン又はルチンから選ばれる、請求項12に記載の抽出物。
【請求項１４】
a)バウヒニア属の各種の一定部分を極性溶媒の混合物で抽出し、b)該溶媒を分離することによって得ることができる、請求項１ないし13のいずれか１項に記載の抽出物。
【請求項１５】
極性溶媒の混合物が一方の溶媒として水を含み、かつ、メタノール、エタノール、１-プロパノール、２-プロパノール、アセトニトリル、アセトン及び酢酸エチルから選ばれる１つ以上の他の溶媒を含む、請求項14に記載の抽出物。
【請求項１６】
前記溶媒混合物が10〜90容積％の水を含む、請求項15に記載の抽出物。
【請求項１７】
前記溶媒混合物が30〜70容積％の水を含む、請求項16に記載の抽出物。
【請求項１８】
a)バウヒニア属の各種の一定部分を極性溶媒混合物で抽出し、b)該溶媒を分離することによってバウヒニア抽出物を製造する方法。
【請求項１９】
請求項１ないし17のいずれか１項に記載のバウヒニア抽出物の薬剤としての使用。
【請求項２０】
請求項１ないし17のいずれか１項に記載のバウヒニア抽出物の抗酸化剤としての使用。
【請求項２１】
請求項１ないし17のいずれか１項に記載のバウヒニア抽出物を使用する、低血糖活性を有する薬剤の製造方法。
【請求項２２】
請求項１ないし17のいずれか１項に記載のバウヒニア抽出物を使用する、血漿中グルコースクリアランスに影響を及ぼすのに適する薬剤の製造方法。
【請求項２３】
低血糖活性を有する薬剤の製造でのイソケルセチンの使用。
【請求項２４】
請求項１ないし17のいずれか１項に記載のバウヒニア抽出物を含む、薬剤としての組成物。
【請求項２５】
請求項１ないし17のいずれか１項に記載のバウヒニア抽出物を含む、抗酸化剤としての組成物。
【請求項２６】
請求項１ないし17のいずれか１項に記載のバウヒニア抽出物を含む、低血糖活性を有する薬剤組成物。
【請求項２７】
請求項１ないし17のいずれか１項に記載のバウヒニア抽出物を含む、血漿中グルコースクリアランスに影響を及ぼすのに適する薬剤組成物。
【請求項２８】
イソケルセチンを含む、低血糖活性を有する薬剤組成物。
【請求項２９】
請求項１ないし17のいずれか１項に記載のバウヒニア抽出物又は請求項18に記載の方法で製造された抽出物を１〜99重量％含む組成物。
【請求項３０】
追加補充物を0.01〜99重量％含む、請求項29に記載の食物補充剤。
【請求項３１】
前記追加補充物がビタミン、ミネラル、オリゴ成分、プロバイオチックス(probiotics)、プレバイオチックス(prebiotics)、フラボノイド、脂肪酸、ポリサッカライド、リポ酸又は植物抽出物であることを特徴とする請求項30に記載の食物補充剤。
【請求項３２】
追加の抗酸化剤を0.01〜99重量％含む、請求項29に記載の薬剤組成物。
【請求項３３】
前記追加の抗酸化剤がビタミンＣ及びＥ、α-リポ酸、フラボノイド、グルタチオン、カロテノイド、コエンザイムＱ10、蛋白結合亜鉛又はセレニゥムを含む群から選ばれることを特徴とする請求項32に記載の薬剤組成物。
【請求項３４】
経口低血糖剤(ＯＨＡs)をさらに含むことを特徴とする、請求項29、32および33のいずれか１項に記載の薬剤組成物。
【請求項３５】
前記経口低血糖剤(ＯＨＡs)がスルホニル尿素、メトフォルミン及び/又はチアゾリジンジオンであることを特徴とする、請求項34に記載の薬剤組成物。
【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
式Iの化合物
【化１】
2005504776.tif 000001
(ここで、
R1はH、OH、C1〜C4アルキル、C2〜C4アルケニル、C2〜C4アルカノイルまたは-ORであり；
R2はH、OH、ORまたは=Oであり；
R3はH、OHまたはC1〜C4アルキルであり；
R4はH、OH、=O、C1〜C4アルキル、C2〜C4アルケニル、C2〜C4アルカノイルまたは-ORであり；
R5はH、OH、C1〜C4アルキル、C2〜C4アルケニル、C2〜C4アルカノイルまたは-ORであり；
R6はH、OH、=CH2またはC1〜C4アルキルであり；
R7はH、OH、ハロゲン、C1〜C4アルキル、C2〜C4アルケニル、C2〜C4アルカノイル、SH、SRまたは-ORであり；
そしてRはC1〜C4アルキル、C2〜C2アルケニルまたはC2〜C4アルカノイルである)
または医薬上許容されるその誘導体を、少なくとも１つの医薬上許容される添加剤とともに含む、哺乳動物における神経因性疼痛の治療用の医薬組成物。
【請求項２】
R7がOH、SH、ORまたはSRである、請求項1に記載の医薬組成物。
【請求項３】
R1がH、OHまたはメチルであり；
R2がOHであり；
R3がHまたはメチルであり；
R4がH、OHまたは=Oであり；
R5がH、OHまたはメチルであり；
R6がHまたはメチルであり；
R7がOH、OCOCH3、SH、SCOCH3、Cl、BrまたはFである、
請求項1に記載の医薬組成物。
【請求項４】
式Iの化合物が、21-アセトキシ-3α-ヒドロキシ-5α-プレグナン-11,20-ジオンまたはその塩である請求項1に記載の医薬組成物。
【請求項５】
式Iの化合物の医薬上許容される塩または代謝産物が用いられる請求項1〜4のいずれか1つに記載の医薬組成物。
【請求項６】
神経因性疼痛が、モノラディキュロパシー、三叉神経痛、ヘルペス後神経痛、幻肢痛、複合局所痛症候群、AIDSまたはヒト免疫不全ウイルスでの感染ならびに薬剤誘導性および糖尿病性神経障害に伴う神経因性疼痛からなる群より選択される、請求項1〜5のいずれか1つに記載の医薬組成物。
【請求項７】
オピオイド化合物と同時に、分けてまたは逐次的に哺乳動物に投与するための請求項1〜6のいずれか1つに記載の医薬組成物。
【手続補正書】
【提出日】平成17年5月11日(2005.5.11)
【手続補正１】
【補正対象書類名】特許請求の範囲
【補正対象項目名】請求項１
【補正方法】変更
【補正の内容】
【請求項１】
式Iの化合物
【化１】
2005504729.tif 000001
又はその光学異性体、ジアステレオマー、鏡像異性体、多形体、偽多形体、塩類、水和物、生物加水分解性エステル、アミドおよび溶媒和物であり、
ここで
R1は、置換されたまたは置換されていないC1-5 アルキルまたは置換されたまたは置換されていないC3-6シクロアルキルまたは置換されたまたは置換されていないアリルで
YはOR3 を表わし、ここでR3は水素、C1-C20アルキル、アラルキル、
CH2CH(NH2)COOH  又はR3は(CH2)n-CHR10-OCOR11 または(CH2)n-CHR10-OCO2R11であり、ここでR10はH又はCH3であり；nは0-3であり、及びR11はC1-C20アルキロール置換C1-C6アルキル又はアラルキルであり、又はR11は下に示す図式であり、
【化２】
2005504729.tif 000002
又はR3はアルカノールアルキル基であり；
又はR3は下に示す図式であり、
【化３】
2005504729.tif 000003
ここでAはCH又はNであり、AがCHであるときZはNH又はNCH3であり、及びAがNであるときZはCH、O、NH、S、又はNCH3であり；pは0-2であり；qは0-2であり；又は
YはNHR2、ここでR2はH、C1-20アルキル、置換されたまたは置換されていないC3-6シクロアルキル、置換されたまたは置換されていないアリル、置換されたまたは置換されていないヘテロアリル
又はR2は20種自然発生アミノ酸類であり、又はその光学活性異性体、又はそのラセミ混合体の1つから誘導されるアミノ酸残基であり；
R5はH、C1-5アルキル、C1-5アルコキシ、アミノ、C1-5アルキルアミノ、又はC1-5アシルアミノであり；
Qは-N-、-C(R8)- (R8はH、F、Cl、臭素、C1-4 アルキル、あるいは置換されたまたは置換されていないC1-4アルコキシ、
QがCHで且つR1 結合する窒素原子で、Qの炭素原子と任意に置換された5-、6-または7-員環を形成する場合は、環は任意の一つ以上の窒素原子、酸素原子、または硫黄原子から選んだヘテロ原子を任意に含み、
XはOR4で、こでR4は水素又はC1-C20アルキル、グリコシル、アラルキル、又はC1-C6アルカノイル、アミノアルカノール、または20種の自然生成アミノ酸類の一つから誘導される酸性基、又はそれらの光学的に活性の異性体、又はそれらのラセミ混合体であり、又はR4は1-アミノシクロヘキシルカルボニルまたはCOOR11であり、ここでのR11は前記で定義されてあり、又はR4は−(CH2)n-CHR10-OCOOR11であり、ここでのR10 と R11は前記で定義され、又はR4はC6H11O6、PO2(CH3)H、PO3H2、PO2(OCH3)H 若しくは SO3Hであり；
又はXはNR6R7であり、
ここでR6はH、C1-20アルキル、C3-6シクロアルキル、又はアラルキルであり；C1-20アルカノイル、又はC1-20アルコキシカルボニル、アラルキルオキシカルボニル、アミノ(C1-20)アルカノイル、又は自然発生する20種のアミノ酸の一つから派生したアミノ酸残留物またはその光学活性異性体、またはそのラセミ混合物である。
R6 はCOOR11 、ここでR11は上記で定義するとおり、またはR6 はC6H11O6 ;R7 は H、C1-6アルキル、C3-6シクロアルキル、アラルキル; C1-6アルカノイル、アラキルオキシカルボニル、またはアミノC1-20アルカノイル; または自然発生する20種のアミノ酸の一つから派生したアミノ酸残留物またはその光学活性異性体、またはそのラセミ混合物であり、R7 はC6H11O6; 
R8/R8'は、該ピペリジノリングの3/3位置の置換基であり、同一又は異種であり、H、C1-6アルキル、置換C1-6アルキル、アルキルアミノ、又はアラルキルを表し、
R9 はピペリジノ環の4位または5位の置換基で、H、C1-6アルキル、C1-5 アルキルアミノ、C1-3 ジアルキルアミノ、アリル、アラルキル又はトリハロアルキルを表わす。
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
式(Ia)：
【化１】
2005504781.tif 000001
の[6-(4-クロロフェニル)-2,2-ジメチル-7-フェニル-2,3-ジヒドロ-1H-ピロリジン-5-イル]-酢酸、その生理的に許容される塩または生理的に加水分解されるエステルの、関節軟骨および/または軟骨下骨の変性または破壊を治療または予防するための医薬組成物を製造するための使用。
【請求項２】
式(Ia)：
【化２】
2005504781.tif 000002
の[6-(4-クロロフェニル)-2,2-ジメチル-7-フェニル-2,3-ジヒドロ-1H-ピロリジン-5-イル]-酢酸、その生理的に許容される塩または生理的に加水分解されるエステルの、関節軟骨および/または軟骨下骨の変性または破壊の進行を予防するための医薬組成物を製造するための使用。
【請求項３】
前記進行は変形性関節症に伴うものである請求項２記載の使用。
【請求項４】
前記変性または破壊が初期段階である請求項１〜３のいずれか１項記載の使用。
【請求項５】
前記段階が関節軟骨および/または軟骨下骨の傷害、損傷または消失を含む請求項４記載の使用。
【請求項６】
関節軟骨の傷害または損失を含む前記段階が無症候である請求項５記載の使用。
【請求項７】
前記段階が、１以上の下記の物質に関して哺乳類の体液または関節組織に対しておこなわれる生化学試験による陽性の結果：
(1) インターロイキン-1ベータ(IL-1β)の増加；
(2) 腫瘍壊死因子アルファ(TNFα)の増加；
(3) IL-1βのIL-1受容体アンタゴニストタンパク質(IL-1Ra)に対する比の増加；
(4) p55 TNF受容体(p55 TNF-R)の発現の増加；
(5) インターロイキン-6 (IL-6)の増加；白血病阻害因子(LIF)の増加；
(6) インスリン様成長因子-1 (IGF-1)の不変または減少；
(7) トランスフォーミング成長因子ベータ(TGFβ)の減少；血小板由来成長因子(PDGF)の不変または減少；
(8) 塩基性線維芽細胞成長因子(b-FGF)の不変または減少；
(9) ケラタン硫酸の増加；
(10) ストロメリシンを含むマトリックスメタロプロテアーゼ(MMP)の増加；
(11) ストロメリシンを含むマトリックスメタロプロテアーゼ(MMP)の、メタロプロテアーゼの組織阻害剤(TIMP)に対する比の増加；
(12) オステオカルシンの増加；
(13) アルカリホスファターゼの増加；
(14) ホルモンチャレンジに応答してのcAMPの増加；
(15) ウロキナーゼプラスミノーゲン活性化因子(uPA)の増加；
(16) 軟骨オリゴマーマトリックスタンパク質の増加；
(17) タイプ-II特異的コラーゲンネオエピトープの存在；および
(18) コラゲナーゼの増加
の１以上により決定される、請求項４〜６のいずれか１項記載の使用。
【請求項８】
前記医薬組成物が前記式(Ia)の化合物を約1-10mg/kg/日の量で投与するためのものである請求項１〜７のいずれか１項記載の使用。
【請求項９】
前記治療または予防が、式(Ia)の化合物に加えて、基本的にポリ硫酸化グリコサミノグリカン(PSGAG)、グルコサミン、コンドロイチン硫酸(CS)、ヒアルロン酸(HA)、ポリ硫酸ペントサン(PPS)、ドキシサイクリン、およびミノサイクリンからなる群より選択される１以上のメンバーを投与することを含む、請求項１〜８のいずれか１項記載の使用。
【請求項１０】
(A) 式(Ia)：
【化３】
2005504781.tif 000003
の[6-(4-クロロフェニル)-2,2-ジメチル-7-フェニル-2,3-ジヒドロ-1H-ピロリジン-5-イル]-酢酸、その生理的に許容される塩または生理的に加水分解されるエステル；および
(B) 基本的に、(1)ポリ硫酸化グリコサミノグリカン(PSGAG)、グルコサミン、コンドロイチン硫酸(CS)、ヒアルロン酸(HA)、ポリ硫酸ペントサン(PPS)、ドキシサイクリン、およびミノサイクリンからなる群より選択される１以上のメンバー
を含む、医薬組成物。
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
遊離塩基または酸付加塩の形態の、式Ｉ
【化１】
2005504783.tif 000001
で示される、(Ｒ)−１−(４−｛３−[４−(６−フルオロ−ベンゾ[ｄ]イソキサゾール−３−イル)−ピペリジン−１−イル]−プロポキシ｝−３−メトキシ−フェニル)−エタノール。
【請求項２】
遊離塩基または酸付加塩の形態の、式ＩＩ
【化２】
2005504783.tif 000002
で示される、(Ｓ)−１−(４−｛３−[４−(６−フルオロ−ベンゾ[ｄ]イソキサゾール−３−イル)−ピペリジン−１−イル]−プロポキシ｝−３−メトキシ−フェニル)−エタノール。
【請求項３】
請求項１および２に記載の式ＩおよびＩＩで示される化合物およびそれらの塩の製造方法であって、式ＩＩＩ
【化３】
2005504783.tif 000003
で示されるイロペリドンを、式ＩＶ
【化４】
2005504783.tif 000004
で示される光学活性ボラン錯体で還元し、
そして遊離塩基または酸付加塩の形態で得られる化合物を回収することを含んでなる方法。
【請求項４】
医薬として使用するための、遊離塩基または薬学的に許容される酸付加塩の形態の請求項１または２に記載の化合物。
【請求項５】
精神病性障害の処置において使用するための、遊離塩基または薬学的に許容される酸付加塩の形態の請求項１または２に記載の化合物。
【請求項６】
医薬担体または希釈剤とともに、遊離塩基または薬学的に許容される酸付加塩の形態の請求項１または２に記載の化合物を含んでなる医薬組成物。
【請求項７】
精神病性障害の処置用医薬としての、遊離塩基または薬学的に許容される酸付加塩の形態の請求項１または２に記載の化合物の使用。
【請求項８】
精神病性障害の処置用医薬の製造のための、遊離塩基または薬学的に許容される酸付加塩の形態の請求項１または２に記載の化合物の使用。
【請求項９】
精神病性障害の処置方法であって、かかる処置を必要とする対象において、かかる対象に遊離塩基または薬学的に許容される酸付加塩の形態の治療上有効量の請求項１または２に記載の化合物を投与することを含んでなる方法。
【請求項１０】
同時的または逐次的投与のための、遊離塩基または薬学的に許容される酸付加塩の形態の治療上有効量の請求項１または２に記載の化合物、および第二医薬物質を含んでなる組合せ剤。
【手続補正２】
【補正対象書類名】明細書
【補正対象項目名】０００５
【補正方法】変更
【補正の内容】
【０００５】
たとえば、Mutlib AE et al., Drug Metab. Dispos; 23（9）:951-964 （1995）参照。Ｐ−８８−８９９１は、ヒトにおいて親薬物（parent drug）よりも約１．５倍高い血漿レベルを有することが示された。それは、イロペリドンとおよそ同程度の活性である。
【手続補正３】
【補正対象書類名】明細書
【補正対象項目名】０００９
【補正方法】変更
【補正の内容】
【０００９】
式Ｉの化合物（Ｓ）−１−（４−｛３−［４−（６−フルオロ−ベンゾ［ｄ］イソキサゾール−３−イル）−ピペリジン−１−イル］−プロポキシ｝−３−メトキシ−フェニル）−エタノールは、式ＩＶａ
【化５】
2005504783.tif 000005
で示される（３ａＲ,７Ｒ）−１−メチル−３,３−ジフェニル−テトラヒドロ−ピロロ［１,２−ｃ］［１,３,２］オキシアザボロールのボラン錯体を用いて得られるが、式ＩＩの化合物（Ｒ）−１−（４−｛３−［４−（６−フルオロ−ベンゾ［ｄ］イソキサゾール−３−イル）−ピペリジン−１−イル］プロポキシ｝−３−メトキシ−フェニル）−エタノールは、式ＩＶｂ
【化６】
2005504783.tif 000006
で示される（３ａＳ,７Ｒ）−１−メチル−３,３−ジフェニル−テトラヒドロ−ピロロ［１,２−ｃ］［１,３,２］オキシアザボロールのボラン錯体を用いて得られる。
【手続補正４】
【補正対象書類名】明細書
【補正対象項目名】００１６
【補正方法】変更
【補正の内容】
【００１６】
特に、本発明の剤は、アドレナリン作動性α１およびα２ｃレセプターに高い親和性（式Ｉの化合物について、それぞれ、ｐＫＩ ８．９および７．８。式ＩＩの化合物について、それぞれ、９．２および７．７）、５ＨＴ２Ａおよび５ＨＴ６レセプターに高い親和性（式Ｉの化合物について、それぞれ、ｐＫＩ ８．９および８．１。式ＩＩの化合物について、それぞれ、８．９および７．８）ならびにＤ２ファミリーに中程度の親和性（式Ｉの化合物について、それぞれ、ｐＫＩ ７．４〜７．６。式ＩＩの化合物について、それぞれ、７．４〜７．８）を示す。
【手続補正５】
【補正対象書類名】明細書
【補正対象項目名】００３４
【補正方法】変更
【補正の内容】
【００３４】
実施例２
（Ｒ）−１−（４−｛３−［４−（６−フルオロ−ベンゾ［ｄ］イソキサゾール−３−イル）−ピペリジン−１−イル］−プロポキシ｝−３−メトキシ−フェニル）−エタノール
本化合物は、（３ａＳ,７Ｒ）−１−メチル−３,３−ジフェニル−テトラヒドロ−ピロロ［１,２−ｃ］［１,３,２］オキシアザボロールのボラン錯体を用いて、実施例１と同様に製造される。
［α］Ｄ２０  ＋１８．４°（クロロホルム中ｃ＝１）
融点：１３７．９〜１３８．３℃
【手続補正書】
【提出日】平成17年12月1日(2005.12.1)
【手続補正１】
【補正対象書類名】特許請求の範囲
【補正対象項目名】請求項２
【補正方法】変更
【補正の内容】
【請求項２】
Ｒ１は、水素、１〜４Ｃ−アルキル、３〜７−シクロアルキル、１〜４Ｃ−アルコキシ−１〜４Ｃ−アルキル、２〜４Ｃ−アルキニルまたはフルオロ−１〜４Ｃ−アルキルであり、
Ｒ２は、水素、１〜４Ｃ−アルキル、ハロゲン、２〜４Ｃ−アルケニル、２〜４Ｃ−アルキニルまたはフルオロ−１〜４Ｃ−アルキルであり、
Ｒ３は、ヒドロキシ−１〜４Ｃ−アルキル、１〜４Ｃ−アルコキシ−１〜４Ｃ−アルキル、１〜４Ｃ−アルコキシ−１〜４Ｃ−アルコキシ−１〜４Ｃ−アルキル、１〜４Ｃ−アルコキシカルボニルまたは基−ＣＯ−ＮＲ３１Ｒ３２であり、
ここで、
Ｒ３１は、水素、１〜７Ｃ−アルキル、ヒドロキシ−１〜４Ｃ−アルキルまたは１〜４Ｃ−アルコキシ−１〜４Ｃ−アルキルであり、且つ
Ｒ３２は、水素、１〜７Ｃ−アルキル、ヒドロキシ−１〜４Ｃ−アルキルまたは１〜４Ｃ−アルコキシ−１〜４Ｃ−アルキルであるか、または
Ｒ３１とＲ３２は、一緒に、それらが結合している窒素原子を含み、ピロリジノ、ピペリジノまたはモルホリノ基を形成し、
Ａｒｏｍは、Ｒ４−、Ｒ５−、Ｒ６−およびＲ７−置換され、フェニル、フラニル（フリル）およびチオフェニル（チエニル）から成る群より選択される単環式または二環式芳香族基であり、
ここで、
Ｒ４は、水素、１〜４Ｃ−アルキル、ヒドロキシ−１〜４Ｃ−アルキル、１〜４Ｃ−アルコキシ、１〜４Ｃ−アルキルカルボニル、カルボキシル、１〜４Ｃ−アルコキシカルボニル、ハロゲン、ヒドロキシル、トリフルオロメチル、１〜４Ｃ−アルキルカルボニルアミノ、１〜４Ｃ−アルコキシカルボニルアミノ、１〜４Ｃ−アルコキシ−１〜４Ｃ−アルコキシカルボニルアミノまたはスルホニルであり、
Ｒ５は、水素、１〜４Ｃ−アルキル、１〜４Ｃ−アルコキシ、１〜４Ｃ−アルコキシカルボニル、ハロゲン、トリフルオロメチルまたはヒドロキシルであり、
Ｒ６は、水素または１〜４Ｃ−アルキルであり、
Ｒ７は、水素であり、
Ｘは、Ｏ（酸素）またはＮＨである、請求項１に記載の式１の化合物およびその塩。
【手続補正２】
【補正対象書類名】明細書
【補正対象項目名】００３７
【補正方法】変更
【補正の内容】
【００３７】
特に言及すべき化合物は、以下の置換基を有する式１の化合物およびその塩である：
Ｒ１は、水素、１〜４Ｃ−アルキル、３〜７−シクロアルキル、１〜４Ｃ−アルコキシ−１〜４Ｃ−アルキル、２〜４Ｃ−アルキニルまたはフルオロ−１〜４Ｃ−アルキルであり、
Ｒ２は、水素、１〜４Ｃ−アルキル、ハロゲン、２〜４Ｃ−アルケニル、２〜４Ｃ−アルキニルまたはフルオロ−１〜４Ｃ−アルキルであり、
Ｒ３は、ヒドロキシ−１〜４Ｃ−アルキル、１〜４Ｃ−アルコキシ−１〜４Ｃ−アルキル、１〜４Ｃ−アルコキシ−１〜４Ｃ−アルコキシ−１〜４Ｃ−アルキル、１〜４Ｃ−アルコキシカルボニルまたは基−ＣＯ−ＮＲ３１Ｒ３２であり、
ここで、
Ｒ３１は、水素、１〜７Ｃ−アルキル、ヒドロキシ−１〜４Ｃ−アルキルまたは１〜４Ｃ−アルコキシ−１〜４Ｃ−アルキルであり、且つ
Ｒ３２は、水素、１〜７Ｃ−アルキル、ヒドロキシ−１〜４Ｃ−アルキルまたは１〜４Ｃ−アルコキシ−１〜４Ｃ−アルキルであるか、または
Ｒ３１とＲ３２は、一緒に、それらが結合している窒素原子を含み、ピロリジノ、ピペリジノまたはモルホリノ基を形成し、
Ａｒｏｍは、Ｒ４−、Ｒ５−、Ｒ６−およびＲ７−置換され、フェニル、フラニル（フリル）およびチオフェニル（チエニル）から成る群より選択される単環式または二環式芳香族基であり、
ここで、
Ｒ４は、水素、１〜４Ｃ−アルキル、ヒドロキシ−１〜４Ｃ−アルキル、１〜４Ｃ−アルコキシ、１〜４Ｃ−アルキルカルボニル、カルボキシル、１〜４Ｃ−アルコキシカルボニル、ハロゲン、ヒドロキシル、トリフルオロメチル、１〜４Ｃ−アルキルカルボニルアミノ、１〜４Ｃ−アルコキシカルボニルアミノ、１〜４Ｃ−アルコキシ−１〜４Ｃアルコキシカルボニルアミノまたはスルホニルであり、
Ｒ５は、水素、１〜４Ｃ−アルキル、１〜４Ｃ−アルコキシ、１〜４Ｃ−アルコキシカルボニル、ハロゲン、トリフルオロメチルまたはヒドロキシルであり、
Ｒ６は、水素または１〜４Ｃ−アルキルであり、
Ｒ７は、水素であり、
Ｘは、Ｏ（酸素）またはＮＨである。
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
親油性アントラサイクリンを１つ以上の医薬的に許容し得る担体と一緒に含有する医薬組成物であって、体表への局所投与のために製剤化する、該医薬組成物。
【請求項２】
親油性アントラサイクリンはバルルビシンである、請求項１記載の医薬組成物。
【請求項３】
体表は皮膚である、請求項１記載の医薬組成物。
【請求項４】
体表は口腔である、請求項１記載の医薬組成物。
【請求項５】
医薬組成物は、ローション剤、軟膏剤、ゲル剤、クリーム剤、経皮パッチ、親油性アントラサイクリンを含有する溶液および／または懸濁液を含有する閉塞型絆創膏、並びにスプレー剤からなる群から選ばれる、請求項１記載の医薬組成物。
【請求項６】
医薬組成物は、軟膏剤、クリーム剤、ローション剤またはゲル剤として製剤化する、請求項１記載の医薬組成物。
【請求項７】
医薬組成物は更に第２の活性成分を含む、請求項１記載の医薬組成物。
【請求項８】
第２の活性成分は、ステロイド、コールタール、カルシポトリエン、ビタミンＡ、アントラリンおよびサリチル酸からなる群から選ばれる、請求項７記載の医薬組成物。
【請求項９】
少なくとも１つの医薬的に許容し得る担体は、乳化剤、ヒドロキシ化合物および脂質からなる群から選ばれる、請求項１記載の医薬組成物。
【請求項１０】
乳化剤は、クレモフォールＥＬ、ツイーン２０、ポリソルベート８０およびそれらの混合物からなる群から選ばれる、請求項９記載の医薬組成物。
【請求項１１】
ヒドロキシ化合物は、エタノール、グリセロール、プロピレングリコールおよびそれらの混合物からなる群から選ばれる、請求項９記載の医薬組成物。
【請求項１２】
脂質は、脂肪族アルコール、脂肪酸エステル、鉱油およびそれらの混合物からなる群から選ばれる、請求項９記載の医薬組成物。
【請求項１３】
個体における体表の過剰増殖または新生物発生前もしくは新生物のプロセスに関係する疾患の処置のための医薬組成物であって、治療学的に有効な量の親油性アントラサイクリンおよび１つ以上の医薬的に許容し得る担体を含有する、該医薬組成物。
【請求項１４】
個体はヒトである、請求項１３記載の医薬組成物。
【請求項１５】
体表は皮膚である、請求項１３記載の医薬組成物。
【請求項１６】
体表は粘膜である、請求項１３記載の医薬組成物。
【請求項１７】
体表は鼻、膣、眼、口、生殖器官、肺、胃腸管および直腸からなる群から選ばれる、請求項１３記載の医薬組成物。
【請求項１８】
体表は口腔である、請求項１３記載の医薬組成物。
【請求項１９】
疾患は真皮の過剰増殖に関係する、請求項１３記載の医薬組成物。
【請求項２０】
疾患は、乾癬、紫外線角化症、脂漏性角化症、光誘導型角化症、扁平苔癬、皮膚の基底細胞癌腫、皮膚の扁平細胞癌腫、白班症、紅板症、口腔内の上皮内癌腫、尋常性いぼ、皮膚または粘膜の尖圭コンジローマ、皮膚性のＴ−細胞リンパ腫、および瘢痕性肥大症からなる群から選ばれる、請求項１３記載の医薬組成物。
【請求項２１】
疾患は乾癬である、請求項１３記載の医薬組成物。
【請求項２２】
疾患は、尋常乾癬、滴状乾癬、屈側性乾癬、紅皮症性乾癬、全身膿疱性乾癬および局所膿疱性乾癬からなる群から選ばれる乾癬である、請求項１３記載の医薬組成物。
【請求項２３】
処置は軽減処置である、請求項１３記載の医薬組成物。
【請求項２４】
処置は治療的処置である、請求項１３記載の医薬組成物。
【請求項２５】
処置は予防的処置である、請求項１３記載の医薬組成物。
【請求項２６】
投与は１回以上である、請求項１３記載の医薬組成物。
【請求項２７】
投与は５回以上である、請求項１３記載の医薬組成物。
【請求項２８】
処置を疾患の発症毎および／または再発毎に繰り返す、請求項１３記載の医薬組成物。
【請求項２９】
処置は更に第２の処置を含む、請求項１３記載の医薬組成物。
【請求項３０】
第２の処置は日光、紫外線Ｂ（ＵＶＢ）またはＰＵＶＡを用いた処置からなる群から選ばれる、請求項２９記載の医薬組成物。
【請求項３１】
第２の処置は、ステロイド、コールタール、カルシポトリエン、ビタミンＡ、アントラリン、サリチル酸、メトトレキセート、レチノイドおよびシクロスポリンからなる群から選ばれる化合物の投与である、請求項２９記載の医薬組成物。
【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
少なくとも1つの疎水性ポリマーと少なくとも1つの水溶性ポリマーとを含む、身体組織の湿潤表面に接着する水溶性薄膜デバイスの滞留時間を制御するための水腐食性コーティング層であって、該疎水性ポリマーと該水溶性ポリマーとの重量比が１：１〜９：１である、水腐食性コーティング層。
【請求項２】
水溶性ポリマーが、ポリビニルピロリドン、ポリビニルアルコール、ヒドロキシエチルセルロース、ヒドロキシプロピルセルロース、およびヒドロキシプロピルメチルセルロースからなる群より選択される、請求項１記載の水腐食性コーティング層。
【請求項３】
疎水性ポリマーが、メチルセルロース；エチルセルロース；陰イオン性、陽イオン性および中性のメタクリレートポリマーおよびコポリマー（Ｅｕｄｒａｇｉｔ(登録商標)ポリマー）；ならびにそれらの組み合わせからなる群より選択される、請求項１または２記載の水腐食性コーティング層。
【請求項４】
可塑剤をさらに含む、請求項１記載の水腐食性コーティング層。
【請求項５】
可塑剤が、プロピレングリコール、ポリエチレングリコール、およびグリセリンからなる群より選択される、請求項４記載の水腐食性コーティング層。
【請求項６】
湿潤剤をさらに含む、請求項１記載の水腐食性コーティング層。
【請求項７】
湿潤剤が、ヒアルロン酸およびグリコール酸からなる群より選択される、請求項６記載の水腐食性コーティング層。
【請求項８】
着色剤をさらに含む、請求項１記載の水腐食性コーティング層。
【請求項９】
乳白剤をさらに含む、請求項１記載の水腐食性コーティング層。
【請求項１０】
請求項１記載の水腐食性コーティング層を含む、身体組織の湿潤表面に接着することが可能な水溶性薄膜デバイス。
【請求項１１】
水溶性接着層をさらに含む、請求項１０記載の水溶性薄膜デバイス。
【請求項１２】
水溶性接着層が、少なくとも1つの水溶性フィルム形成ポリマーおよび少なくとも1つの生体接着性ポリマーを含む、請求項１１記載の水溶性薄膜デバイス。
【請求項１３】
水溶性フィルム形成ポリマーが、ポリビニルアルコール、ヒドロキシエチルセルロース、ヒドロキシプロピルセルロース、ヒドロキシプロピルメチルセルロース、ポリエチレンオキシド、およびポリエチレングリコールからなる群より選択される、請求項１２記載の水溶性薄膜デバイス。
【請求項１４】
生体接着性ポリマーが、ポリビニルピロリドン、ポリアクリル酸、およびカルボキシメチルセルロースナトリウムからなる群より選択される、請求項１２または１３記載の水溶性薄膜デバイス。
【請求項１５】
水腐食性コーティング層および水溶性接着層の間に配置される水溶性非接着性バッキング層をさらに含む、請求項１０、１１、１２、１３または１４記載の水溶性薄膜デバイス。
【請求項１６】
水溶性非接着性バッキング層が、ヒドロキシプロピルメチルセルロースである、請求項１５記載の水溶性薄膜デバイス。
【請求項１７】
水溶性フィルム形成ポリマーが、25,000から1,500,000ダルトンの分子量を有する、請求項１３記載の水溶性薄膜デバイス。
【請求項１８】
水溶性フィルム形成ポリマーが、30,000から500,000ダルトンの分子量を有する、請求項１７記載の水溶性薄膜デバイス。
【請求項１９】
水腐食性コーティング層および／または水不溶性接着層のいずれかまたは両方に可塑剤をさらに含む、請求項１０記載の水溶性薄膜デバイス。
【請求項２０】
可塑剤が、プロピレングリコール、ポリエチレングリコール、およびグリセリンからなる群より選択される、請求項１９記載の水溶性薄膜デバイス。
【請求項２１】
水溶性接着層に活性化合物をさらに含む、請求項１１記載の水溶性薄膜デバイス。
【請求項２２】
水溶性非接着性バッキング層に活性化合物をさらに含む、請求項１５または２１記載の水溶性薄膜デバイス。
【請求項２３】
活性化合物が、抗アレルギー剤、抗炎症性鎮痛薬、抗狭心症薬、ステロイド系抗炎症薬、抗ヒスタミン剤、局所麻酔薬、殺菌薬、消毒薬、血管収縮薬、止血剤、化学治療剤、抗生物質、角質溶解剤、焼灼薬、ホルモン、成長ホルモンインヒビター、鎮痛麻酔薬、および抗ウイルス薬からなる群より選択される、請求項２１または２２に記載の水溶性薄膜デバイス。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2005504748.tif 000001
（式中、Ｒ１は、シアノ、アルコキシカルボニル、カルバモイル、チオカルバモイル、アルキルアミノカルボニル又はジアルキルアミノカルボニルを表し、
Ｒ２は、ハロゲン、ハロゲノアルキル、アルコキシ、ハロゲノアルコキシ、アルキルチオ、ハロゲノアルキルチオ、アルキルスルホニル、ハロゲノアルキルスルフィニル、ハロゲノアルキルスルホニル又はシアノを表し、
Ｒ３は、ハロゲン、ハロゲノアルキル、アルコキシ、ハロゲノアルコキシ、アルキルチオ、ハロゲノアルキルチオ、ハロゲノアルキルスルフィニル、ハロゲノアルキルスルホニル又はシアノを表し、および
Ｒ４は、水素、シアノメチル又はアルコキシカルボニルを表す）
のピラゾリン誘導体。
【請求項２】
ａ）式（ＩＩ）：
【化２】
2005504748.tif 000002
（式中、Ｒ１及びＲ２は、請求項１で定義された通りである）
のピラゾリンを、式（ＩＩＩ）：
【化３】
2005504748.tif 000003
（式中、Ｒ３は請求項１で定義された通りである）
のイソシアナートと、適切な場合に希釈剤の存在下で、かつ適切な場合に触媒の存在下で反応させること及び
ｂ）適切な場合に、得られる、本発明による式（Ｉａ）：
【化４】
2005504748.tif 000004
（式中、Ｒ１、Ｒ２及びＲ３は、請求項１で定義された通りである）
のピラゾリン誘導体を、式（ＩＶ）：
Ｈａｌ１−Ｒ４      （ＩＶ）
（式中、Ｒ４は請求項１で定義された通りであり、
Ｈａｌ１はハロゲンを表す）
のハロゲン化物と、適切な場合に希釈剤の存在下で、かつ適切な場合に塩基の存在下で反応させること又は
ｃ）式（Ｉｂ）：
【化５】
2005504748.tif 000005
（式中、Ｒ１、Ｒ２及びＲ３は、請求項１で定義された通りである）
のピラゾリン誘導体を、式（ＩＩ）：
【化６】
2005504748.tif 000006
（式中、Ｒ１及びＲ２は、請求項１で定義された通りである）
のピラゾリンを、式（Ｖ）：
【化７】
2005504748.tif 000007
（式中、Ｒ３は、請求項１で定義された通りである）
のカルバモイルクロリドと、希釈剤の存在下で、かつ適切な場合に塩基の存在下で反応させることによって得ること
を特徴とする、請求項１に記載の式（Ｉ）のピラゾリン誘導体の製造方法。
【請求項３】
増量剤及び／又は界面活性剤に加えて、少なくとも１種の、請求項１に記載の式（Ｉ）の化合物を含むことを特徴とする病虫害防除剤。
【請求項４】
病害虫を防除するための、請求項１に記載の式（Ｉ）の化合物の使用。
【請求項５】
式（ＩＩ）：
【化８】
2005504748.tif 000008
（式中、Ｒ１及びＲ２は、請求項１で定義された通りである）
のピラゾリン。
【請求項６】
式（Ｖａ）：
【化９】
2005504748.tif 000009
（式中、Ｒ７は、ハロゲノアルキル、ハロゲノアルコキシ又はハロゲノアルキルチオを表す）
のカルバモイルクロリド。
【請求項７】
式（ＶＩ）：
【化１０】
2005504748.tif 000010
（式中、Ｒ１及びＲ２は、請求項１で定義された通りである）
の置換アセトフェノン。
【請求項８】
式（ＸＩＩ）
【化１１】
2005504748.tif 000011
（式中、Ｒ７は、ハロゲノアルキル、ハロゲノアルコキシ又はハロゲノアルキルチオを表す）
のシアノメチルアニリン。
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
造血性障害を処置することができる候補化合物を同定するための方法であって、以下の工程：
ｉ）試験されるべき化合物と、以下：
ａ）配列番号２のアミノ酸配列に少なくとも９５％同一なアミノ酸配列を含むポリペプチド；
ｂ）配列番号２のアミノ酸配列を含むポリペプチド；
ｃ）配列番号１または配列番号３のヌクレオチド配列に少なくとも９５％同一のヌクレオチド配列を含む核酸分子によってコードされるポリペプチド；および
ｄ）配列番号１または配列番号３に示されるヌクレオチド配列によってコードされるポリペプチド；
からなる群より選択されるポリペプチドを含むサンプルとを、該ポリペプチドに対する該試験化合物の結合に適した条件下で合わせる工程；
ｉｉ）該ポリペプチドに対する該試験化合物の結合を検出して、それにより該ポリペプチドに結合する化合物を同定する工程；
ｉｉｉ）工程ｉｉ）において選択された化合物を、該ポリペプチドを発現する前駆細胞とを合わせる工程；ならびに
ｉｖ）該前駆細胞が成熟細胞に分化したか否かを決定し；これによって造血性障害を処置することができる化合物を同定する工程；
を包含する、方法。
【請求項２】
前記化合物は、低分子、ペプチドまたは抗体からなる群より選択される、請求項１に記載の方法。
【請求項３】
前記ポリペプチドは、異種配列をさらに含む、請求項１に記載の方法。
【請求項４】
前記ポリペプチドに対する前記試験化合物の結合は、以下：
ａ）競合結合アッセイ；
ｂ）免疫アッセイ；および
ｃ）酵母ツーハイブリッドアッセイ、
からなる群より選択される方法によって検出される、請求項１に記載の方法。
【請求項５】
前記ポリペプチドに対する前記試験化合物の結合は、該ポリペプチドの活性についてのアッセイによって検出される、請求項１に記載の方法。
【請求項６】
前記サンプルは、単離されたポリペプチドまたは該ポリペプチドを発現する細胞からなる群より選択される、請求項１に記載の方法。
【請求項７】
造血性障害を調節することができる化合物を同定するための方法であって、以下の工程：
ｉ）試験されるべき化合物と、以下：
ａ）配列番号２のアミノ酸配列に少なくとも９５％同一なアミノ酸配列を含むポリペプチド；
ｂ）配列番号２のアミノ酸配列を含むポリペプチド；
ｃ）配列番号１または配列番号３のヌクレオチド配列に少なくとも９５％同一のヌクレオチド配列を含む核酸分子によってコードされるポリペプチド；および
ｄ）配列番号１または配列番号３に示されるヌクレオチド配列によってコードされるポリペプチド；
からなる群より選択されるポリペプチドを含むサンプルとを、該ポリペプチドに対する該試験化合物の結合に適した条件下で合わせる工程；
ｉｉ）該ポリペプチドに対する該試験化合物の結合を検出して、それにより該ポリペプチドに結合する化合物を同定する工程；
ｉｉｉ）工程ｉｉ）において選択された化合物を、該ポリペプチドを発現する前駆細胞とを合わせる工程；ならびに
ｉｖ）該前駆細胞が成熟細胞に分化したか否かを決定し；これによって造血を調節することができる化合物を同定する工程；
を包含する、方法。
【請求項８】
前記化合物は、低分子、ペプチドまたは抗体からなる群より選択される、請求項７に記載の方法。
【請求項９】
前記ポリペプチドは、異種配列をさらに含む、請求項７に記載の方法。
【請求項１０】
前記ポリペプチドに対する前記試験化合物の結合は、以下：
ａ）競合結合アッセイ；
ｂ）免疫アッセイ；および
ｃ）酵母ツーハイブリッドアッセイ、
からなる群より選択される方法によって検出される、請求項７に記載の方法。
【請求項１１】
前記ポリペプチドに対する前記試験化合物の結合は、該ポリペプチドの活性についてのアッセイによって検出される、請求項７に記載の方法。
【請求項１２】
前記サンプルは、単離されたポリペプチドまたは該ポリペプチドを発現する細胞からなる群より選択される、請求項７に記載の方法。
【請求項１３】
造血性障害を有するか、または造血性障害を発症する危険性のある被験体を同定するための薬学的組成物であって、配列番号１または配列番号３のうちの少なくとも２５個連続するヌクレオチドを含むハイブリダイゼーションプローブを含む、薬学的組成物。
【請求項１４】
造血性障害を有するか、または造血性障害を発症する危険性のある被験体を同定するためのキットであって、該キットは、第１の増幅プライマーおよび第２の増幅プライマーを含み、該第１のプライマーは、配列番号１または配列番号３のうちの少なくとも２５個の連続するヌクレオチドを含み、該第２のプライマーは、配列番号１または配列番号３の相補体に由来する少なくとも２５個連続するヌクレオチドを含む、キット。
【請求項１５】
造血性障害を有するか、または造血性障害を発症する危険性のある被験体を同定するためのキットであって、該キットは、以下：
ｉ）配列番号１または配列番号３のヌクレオチド配列を含む核酸分子によってコードされるポリペプチド；および
ｉｉ）配列番号２のアミノ酸配列を含むポリペプチド
からなる群より選択されるポリペプチドに選択的に結合することができる抗体を含む、キット。
【請求項１６】
請求項１０または１６において同定された化合物を含む、造血性障害を有する被験体を処置するための薬学的組成物。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
植物系物質を粉砕するために構成された粉砕機と、
下流プロセスのために前記粉砕された植物系物質から固体および液体を分離する圧縮機とを含む工業規模での植物系物質からのウィルス、タンパク及びペプチドの抽出用自動抽出装置。
【請求項２】
粉砕機、圧縮機及び下流プロセスがコンピュータ制御されてなる請求項１に記載の装置。
【請求項３】
植物系物質を粉砕するための第１の粉砕機と、
前記植物系物質をさらに粉砕するための第２の粉砕機と、
前記粉砕された植物系物質から固体および液体を分離するための圧縮機と、
前記第１の粉砕機、前記第２の粉砕機および前記圧縮機に、それらの制御のために接続されたコンピュータとを含む植物系物質からのウィルス、タンパク及びペプチドの自動コンピュータ制御処理装置。
【請求項４】
前記第１および第２の粉砕機が、最大の細胞破壊のために前記植物系物質を粉砕するように構成され、これにより、前記植物系物質の細胞から物質を放出させる請求項３に記載の装置。
【請求項５】
さらに、前記圧縮機から排出された液体のｐＨを調整するためのｐＨ調整装置を含み、該ｐH調節装置は、前記圧縮機から排出された液体と接触するｐHセンサーに応じてコンピュータによって制御されてなる請求項３又は４に記載の装置。
【請求項６】
ｐH調節装置は、さらに、前記ｐＨ調整装置から排出されたｐＨ調整された液体を加熱するための加熱装置を含む請求項５に記載の自動植物処理装置。
【請求項７】
前記加熱装置は、所定の温度に液体を維持するための、前記ｐＨ調整された液体を加熱するためのヒーターおよび複数の断熱パイプを含む請求項６に記載の自動植物処理装置。
【請求項８】
前記加熱装置から排出された液体を冷却するための冷却装置をさらに含む請求項６又は７に記載の自動植物処理装置。
【請求項９】
前記コンピュータによる制御によって、冷却され、ｐH調整された液体が選択的に供給される第１の遠心分離機をさらに含む請求項３〜８のいずれか１つに記載の自動植物処理装置。
【請求項１０】
前記第１の遠心分離機からの分離されたペレットを収容するためのペレットタンクをさらに含み、該ペレットタンクは、
前記ペレットタンクのペレットに液体を加えるための水供給部と、
前記ペレットタンクの液体およびペレットのｐＨを調整する手段と、
前記ペレットタンクの排出パイプに接続された流量ポンプと、
前記ペレットタンクからの流量を測定するための前記ペレットタンクの前記排出パイプ内の流量メータと、
前記流量ポンプの下流にある第２の再循環バルブであって、前記ペレットタンクからの液体を前記ペレットタンクに再循環させるための再循環パイプに接続され、前記コンピュータによって制御される第２の再循環バルブとをさらに含む請求項３〜９のいずれか１つに記載の自動植物処理装置。
【請求項１１】
前記第２の再循環バルブの前記コンピュータによる制御によって再懸濁されたペレットが選択的に供給される第２の遠心分離機をさらに含む請求項１０に記載の自動植物処理装置。
【請求項１２】
前記第１の遠心分離機から排出された抽出上清Ｓ１を収集するために、前記第１の遠心分離機の下流に上清タンクをさらに含む請求項９〜１１のいずれか１つに記載の自動植物処理装置。
【請求項１３】
前記上清Ｓ１を濾過するために、前記上清タンクの下流に複数のフィルタをさらに含む請求項１２に記載の自動植物処理装置。
【請求項１４】
前記第２の遠心分離機から排出された抽出上清Ｓ２を収集するために、前記第２の遠心分離機の下流に第２の上清タンクをさらに含む請求項１１〜１３のいずれか１つに記載の自動植物処理装置。
【請求項１５】
前記上清Ｓ２を濾過するために前記上清タンクの下流に複数のフィルタをさらに含む請求項１４に記載の自動植物処理装置。
【請求項１６】
前記複数のフィルタが、
前記上清Ｓ２から第１のグループの所定の粒径粒子を濾過により排除する第３のフィルタと、
前記上清Ｓ２から第２のグループの所定の粒径粒子を濾過により排除する第４のフィルタと、
前記上清Ｓ１及びＳ２の液体を減少させるための限外濾過システムとを含む請求項１５に記載の自動植物処理装置。
【請求項１７】
前記コンピュータが、メモリ、記憶デバイスおよび出力デバイスを含み、前記コンピュータが、自動植物処理装置によって行われるすべての処理工程を把握し、記録するようにプログラムされ、把握された情報を前記出力デバイスを介して出力する請求項３〜１６のいずれか１つに記載の自動植物処理装置。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
切断充填体組成物であって、それがたばこと、一酸化炭素の二酸化炭素への転化のための酸化剤として及び／または一酸化炭素の二酸化炭素への転化のための触媒として作用することのできる少なくとも一つの添加物とを含み、更にこの添加物がナノ粒子の形のものであることを特徴とする切断充填体組成物。
【請求項２】
添加物が金属酸化物、ドープされた金属酸化物、及びそれらの混合物からなる群から選ばれることを特徴とする請求項１に記載の切断充填体組成物。
【請求項３】
添加物がＦｅ2Ｏ3，ＣｕＯ，ＴｉＯ2，ＣｅＯ2，Ｃｅ2Ｏ3，Ａｌ2Ｏ3、ジルコニウムでドープされたＹ2Ｏ3、パラジウムでドープされたＭｎ2Ｏ3、及びそれらの混合物からなる群から選ばれることを特徴とする請求項２に記載の切断充填体組成物。
【請求項４】
添加物が一酸化炭素の少なくとも５０％を二酸化炭素に転化するのに効果的な量のＦｅ2Ｏ3であることを特徴とする請求項３に記載の切断充填体組成物。
【請求項５】
たばこ棒を含む紙巻きたばこであって、そのたばこ棒が一酸化炭素の二酸化炭素への転化のための酸化剤として及び／または一酸化炭素の二酸化炭素への転化のための触媒として作用することのできる少なくとも一つの添加物を持つ切断充填体を含み、更にこの添加物がナノ粒子の形のものであることを特徴とする紙巻きたばこ。
【請求項６】
添加物が一酸化炭素の少なくとも５０％を二酸化炭素に転化するのに効果的な量のＦｅ2Ｏ3であることを特徴とする請求項５に記載の紙巻きたばこ。
【請求項７】
紙巻きたばこを作製する方法であって、
（ｉ）添加物を切断充填体に添加すること、ここでこの添加物は一酸化炭素の二酸化炭素への転化のための酸化剤として及び／または一酸化炭素の二酸化炭素への転化のための触媒として作用することができ、更にこの添加物はナノ粒子の形のものである；
（ｉｉ）この添加物を含む切断充填体を紙巻きたばこ作製機に供給してたばこ棒を形成すること；及び
（ｉｉｉ）このたばこ棒の周りに紙ラッパーを置いて紙巻きたばこを形成すること；
を含むことを特徴とする方法。
【請求項８】
段階（ｉ）で使用される添加物が一酸化炭素の少なくとも５０％を二酸化炭素に転化するのに効果的な量のＦｅ2Ｏ3であることを特徴とする請求項７に記載の方法。
【請求項９】
添加物が非晶質であることを特徴とする請求項１に記載の切断充填体組成物。
【請求項１０】
添加物がＦｅ2Ｏ3であることを特徴とする請求項９に記載の切断充填体組成物。